(57)【要約】【課題】本発明が解決しようとする課題は、体の不自由な人が排泄をする際に通常の上げ下げ動作をせずに片手が不自由でも排泄が容易に出来る下着を提供することにあり、更にマチを股上から離し遠ざけることで安心して排泄ができる下着を提供することにある。【解決手段】股上を覆う伸縮性の被覆シート４と、腹部側と臀部側を覆う被覆シート１と２と、被覆シート１と２の下位置太股内側近傍に伸縮紐５二本を備えた構造からなる下着で、前記股上を覆う伸縮性の被覆シート４を腹部側と臀部側の方向に延伸をし、前記股上を覆う伸縮性の被覆シート４の中央部を下位置とした状態で、前記腹部側と臀部側との上部に其々前記股上を覆う伸縮性の被覆シート４の両端を取り付け、又腹部側と臀部側を覆う被覆シート１と２の下位置太股内側近傍の股上部を避けた箇所の左右其々の前と後とに伸縮紐５二本を備えた下着。【選択図】図１
2018076606.tif 000002
【特許請求の範囲】
【請求項１】
股上を覆う伸縮性の被覆シートと、腹部側と臀部側を覆う被覆シートとからなる下着で、前記股上を覆う伸縮性の被覆シートを腹部側と臀部側の方向に延伸をし、前記股上を覆う伸縮性の被覆シートの中央部を下位置とした状態で、前記腹部側と臀部側とを覆う被覆シートの表面上部に其々前記股上を覆う伸縮性の被覆シートの両端を取り付け、又腹部側と臀部側を覆う被覆シートの下位置太股内側近傍の股上部を避けた箇所の左右其々の前と後とに取り付けた伸縮紐二本を備えたことを特徴とする下着。
【発明の詳細な説明】
【技術分野】
【０００１】
本発明は、けがや病気で片手が不自由な人等が排泄時に下着全体の上げ下げ動作をせずに排泄を容易にできる下着に関するものである。
【背景技術】
【０００２】
病気やケガで日常の動作が健康な人の様にスムーズに動けないでいる人は少なくないのが現状であり、排泄時の下着の上げ下げで困っている人が多いことも事実である。片手が不自由でも排泄が容易にできる下着が望まれる。
【０００３】
下着の下部に開口部を有し、股上から該開口部を着脱自在に覆う被覆シートを備えたものが文献１に提案されている。
【先行技術文献】
【特許文献】
【０００４】
【特許文献１】実用新案登録第３１９５６４３号
【発明の概要】
【発明が解決しようとする課題】
【０００５】
本発明が解決しようとする課題は、健常者には不自由の無い些細な動作でも、体の一部どこかが思うように動かせないと不便であるが、ことトイレでの動作となると本当に困り、下着は使い勝手のよい製品が必要である。片手が不自由でトイレでの下着の上げ下げの動作をしないで股上の被覆シートを股上から遠くへ離し、急な排泄をもよおしても下着を汚す事無く楽に用を済ませることができ、更に股上の被覆シートを容易に現状復帰させることが出来る下着を提供することにある。
【課題を解決するための手段】
【０００６】
課題を解決する手段として、股上を覆う伸縮性の被覆シートと、腹部側と臀部側を覆う被覆シートとからなる下着で、前記股上を覆う伸縮性の被覆シートを腹部側と臀部側の方向に延伸をし、前記股上を覆う伸縮性の被覆シートの中央部を下位置とした状態で、前記腹部側と臀部側とを覆う被覆シートの表面上部に其々前記股上を覆う伸縮性の被覆シートの両端を取り付け、又腹部側と臀部側を覆う被覆シートの下位置太股内側近傍の股上部を避けた箇所の左右其々の前と後とに取り付けた伸縮紐二本を備えたことを特徴とする下着である。
【発明の効果】
【０００７】
本発明は下着に伸縮性の被覆シートを用いた下着であって、用を足す際に下着本体を下ろさずに排泄が容易にできる構造で、股上の伸縮性の被覆シートを腹部側と臀部側に延伸をしたことで、伸縮性の被覆シートを股上から確実に離す際に伸縮性の被覆シートの特性がしっかりと活かされて十分伸びるので、伸縮性の被覆シートを汚す心配がない。また排泄後は伸縮性の被覆シートの伸縮力により、伸縮性の被覆シートを引いた手を離せば元の股上方向に自然に戻るので、下着の装着に手間がかからず済ませられる。
【０００８】
また腹部側と臀部側の被覆シートを、体を引き締める効果のある素材に変えても、股上には伸縮性の被覆シートを用いるので、股上から確実に遠くに離して排泄を容易にする効果は変わらない。
【０００９】
下着本体を体から離すことなく排泄が済ませられるので、腹部や臀部、腰も冷たい外気から守ることが出来る。腹部と臀部の被覆シートと股上を覆う伸縮性の被覆シートとが交わることで、身体を覆う部分と、容易に排泄ができる股上を覆う伸縮性の被覆シートとがそれぞれ分かれて機能することができる。腹部や臀部から体温を逃がさず保温ができることは冷え性で悩む女性の身体を保護する意味に於いて重要な構造であり、おおきな効果がある。
【００１０】
腹部側と臀部側を覆う被覆シートの下位置太股内側近傍の股上部を避けた箇所で、排泄行為でも飛沫が付着しない位置に、腹部側と臀部側を覆う被覆シートの左右其々の前と後とを繋ぐ伸縮紐二本を備えることで、被覆シートの下部が上方向に移動してしまう動きを防ぐことが出来る。
腹部側と臀部側を覆う被覆シートと伸縮性の被覆シートとの交差により保温性を高めることが出来ることと、伸縮紐により被覆シートが上位置方向に働く動きを抑えることで、下着本体が常に体に沿うことで皺も寄り難くなり、服の上から下着の皺を気にする心配もなくなる。
【００１１】
片手が不自由な人や妊娠中の女性、又和服やロングドレスを装う人、更には健常者にも便利な下着である。    
【図面の簡単な説明】
【００１２】
【図１】本発明の実施例１を示す下着の正面図。
【図２】本発明の実施例１を示す下着の背面図。
【図３】本発明の実施例１を示す下着のマチ展開図。
【図４】本発明の実施例１を示す便座腰かけ時の斜視図。
【発明を実施するための形態】
【００１３】
以下、本発明の実施例１を図面に基づいて詳細に説明する。
本下着は股上に伸縮性の被覆シート４を用いた下着で、伸縮性の被覆シート４を股上位置から片手で確実に遠くに移動させることと、手を離すと伸縮性の被覆シート４が股上方向に自然に戻る事ができ、また伸縮性の被覆シート４を左右どちらにも容易に移動させることが出来る。
【００１４】
腹部側被覆シート１と臀部側被覆シート２の上部に腹部側と臀部側に延伸をした伸縮性の被覆シート４の中央部を下向きにした状態で、伸縮性の被覆シート４の各々の延伸の先端を止め、二種類の機能の異なる被覆シートが腰部位置で重なる構造である
【００１５】
伸縮性の被覆シート４は長さを十分に確保した構造なので、伸縮力を活かす事が出来る。便座７に腰をかけた状態でも伸縮性の被覆シート４を汚す心配はない。また排泄後に伸縮性の被覆シート４を持った手を離せば、伸縮性の被覆シート４が股上方向に自然に戻るので排泄後の操作がとても容易で片手でも出来る。
【００１６】
腹部側被覆シート１と臀部側被覆シート２とは互いに左右が繋がり、腰部全体を覆うことで身体を寒さから守り、股上の伸縮性の被覆シート４を腰部紐３の位置で止めることで、伸縮性の被覆シート４の長さが担保され、伸縮する力を充分に発揮することを可能にした。
【００１７】
腹部側と臀部側を覆う被覆シート１と２の下位置太股内側近傍の股上部を避けた箇所で、排泄行為でも飛沫が付着しない位置に、腹部側と臀部側を覆う被覆シート１と２の左右其々の前と後とを繋ぐ伸縮紐５二本を備えることで、被覆シート１及び２の下部位が上方向に引きあがる動きを防ぐことが出来る。
腹部側と臀部側を覆う被覆シート１と２及び伸縮性の被覆シート４と、更に伸縮紐５により腹部側と臀部側を覆う被覆シート１と２が上位置方向に働く動きを抑えることで、下着本体が常に体に沿う構造となり保温性が高まると共に、下着が身体と一体化となり被覆の皺などに気を遣うことをしなくてもよい。
【００１８】
通常の排泄は下着を下げ、用を足さなければならないが、本下着は下着を下げる事無く排泄が出来るので、特に手の不自由な人は楽に用を足すことが楽に出来る。更にその後の下着の処理も伸縮性の被覆シート４から手を離すだけで股上方向に自然に戻るので、排泄行為後の下着を元に戻す複雑な動作も容易にし、排泄の際の煩わしさを軽減することができる。
【００１９】
手が不自由でも安心して用を済ませられる下着である。更に妊娠中の女性や、又和服やロングドレスを装う人、健常者にも便利な下着である。
【符号の説明】
【００２０】
１  腹部側を覆う被覆シート
２  臀部側を覆う被覆シート
３  腰部紐位置
４  伸縮性の被覆シート
５  伸縮紐
６  ボデー
７  便座
【図１】
2018076606.tif 000003
【図２】
2018076606.tif 000004
【図３】
2018076606.tif 000005
【図４】
2018076606.tif 000006